(57)【要約】      （修正有）【課題】鼻腔を拡張し、鼻谷を密閉し、防菌及びメガネの防曇を可能とし、話者に対し言葉を明瞭に伝え、呼吸を容易にするマスクを提供する。【解決手段】マスクにおいて、シート１のほぼ中央部の左右に接着部２を設け、接着部２を鼻の左右に接着するようにした。これにより、鼻腔を拡張するとともに、シート１により鼻谷を密閉し、防曇し、対話相手からのバイ菌が鼻孔や口孔に飛入することを防止し、容易に呼吸と明瞭な言葉を発し得るようにする。【選択図】図７
2019173206.tif 000002
【特許請求の範囲】
【請求項１】
シートのほぼ中央部の左右に接着部を設け、前記接着部を鼻の左右に接着することにより、前記シートの拡平力で鼻腔を拡張するとともに、前記シートにより鼻谷を密閉し、防曇し、対話相手からのバイ菌が鼻孔や口孔に飛入することを防止し、容易に呼吸と明瞭な言葉を発し得、前記シートに広報情報、反射ガラスビーズ、発光材、ＣＯ２や花粉対策顆粒を附着せしめ得ることを特徴とする鼻腔拡張鼻谷密閉防菌防曇明言広報地球温暖化防止交通安全マスク。
【発明の詳細な説明】
【技術分野】
【０００１】
本発明は、鼻腔を拡張し、鼻谷を密閉し、防菌及びメガネの防曇を可能とし、話者に対し言葉を明瞭に伝え、呼吸を容易にし、かつ、地球温暖化を防止することが可能なマスクに関する。
【背景技術】
【０００２】
従来から不織布製のマスクが知られている。
この種のマスクは、利用者の鼻から口にかけて覆うものであり、一般に、ひもを耳にかけて装着するようになっている（図１〜６参照）。
これにより、インフルエンザなどの病原菌やバイ菌が利用者の口や鼻から入ることを防ぎ、病気に感染しないよう予防しようとするものである。
【発明の概要】
【発明が解決しようとする課題】
【０００３】
ところが、公知のマスク３は、図１に示すように、呼吸や通気性を考慮して小さな孔が無数に設けられている。
このため、マスクを装着していても、バイ菌等４がこれらの孔を通過４１して口や鼻に入り、この結果、病気に感染するなど問題となっていた。
また、公知のマスク３は図２に示すように、ＰＭ２．５と呼ばれる微粒子物質や花粉５も孔から通すため、マスクを装着していてもこの微粒子物質が口や鼻に入って害を及ぼす。
また、公知のマスク３は図３に示すように、吸音性のある不織布を素材とすることが多く、また、口から顎に至る部分まで密着して装着されるので、マスク装着者の声６がマスクによって吸収されたり、マスクの内側で反射して打ち消され、他人から聞こえづらくなる問題もあった。
また、公知マスクは図４に示すように、マスク３を装着した状態で、鼻７と頬２３のすき間部分９（以下、鼻谷という）に隙間ができるため、この隙間を通じて口や鼻にバイ菌等が入ることもある。なお、後に説明する本発明のマスクと異なり、マスクの圧力で鼻７がつぶれ、鼻腔８を広げることもできないため、鼻呼吸を楽にできるものではない。
また、図５に示すように、公知マスク３では利用者がメガネ２０とマスク３をともに装着する場合、図６に示すように、鼻谷の隙間９から湿気を伴う呼気が上昇してメガネ２０を曇らせる問題があった。
更に、利用者の耳部分２２において、メガネ２０のつる２１とマスクのひも１０との取り合いが生じる。
これにより、マスク３やメガネ２０の装着感が悪化したり、マスク３のひも１０がメガネ２０のつる２１に絡んでマスク３やメガネ２０の着脱が円滑に行えないなどの問題があった。
【０００４】
本発明は、以上のような事情に鑑みなされたものであり、鼻腔８を拡張し、鼻谷９を密閉し、防菌及びメガネの防曇を可能とし、話者に対し言葉６を明瞭に伝え、呼吸を容易にし、かつ、地球温暖化を防止することが可能な鼻腔拡張鼻谷密閉防菌防曇明言容易呼吸地球温暖化防止マスク（以下、マスクという）の提供を目的とする。
【課題を解決するための手段】
【０００５】
上記目的を達成するため、本発明のマスクは、シート１のほぼ中央部の左右に接着部２を設け、前記接着部２を鼻７の左右に接着することにより、前記シート１の拡平力で鼻腔８を拡張するとともに、前記シート１により鼻谷９を密閉し、防曇し、対話相手からのバイ菌４が鼻孔や口孔に飛入することを防止し、容易に呼吸と明瞭な言葉を発し得るようにする。
【発明の効果】
【０００６】
本発明によれば、鼻腔を拡張し、鼻谷を密閉し、防菌及びメガネの防曇を可能とし、話者に対し言葉を明瞭に伝え、呼吸を容易にし、かつ、地球温暖化を防止するなどのことが可能なマスクを提供することができる。この効果について更に詳しく後述する。
【図面の簡単な説明】
【０００７】
【図１】公知のマスクのバイ菌の入る問題を示す第１の図である。
【図２】公知のマスクのＰＭ３や花粉の問題を示す第２の図である。
【図３】公知のマスクの声の問題を示す第３の図である。
【図４】公知のマスクのすき間の問題を示す第４の図である。
【図５】公知のマスクのメガネの曇り及びつるとマスクひもの取り合いの問題を示す第５の図であり、利用者を側方から見た図である。
【図６】図５の公知マスクとメガネを上方から見た図である。
【図７】本発明のマスクの実施例の平面図である。
【図８】本発明のマスクの横断面図である。
【図９】本発明のマスクの接着部の断面拡大図であり、（ａ）は発泡ウレタンフォーム層の両面に接着部を設けたもの、（ｂ）はフィルム又はティッシュー層の両面に接着部を設けたもの、（ｃ）はアドヒーシブトランスファー接着部を示す図である。
【図１０】本発明の第２実施例を示す図である。
【図１１】本発明のマスクの鼻孔拡大と鼻谷にすき間のない作用効果を示す第１の図である。
【図１２】本発明のマスクの外からバイ菌シャットアウト作用効果を示す第２の図である。
【図１３】本発明のマスクの相手にバイ菌を移さない作用効果を示す第３の図である。
【図１４】本発明のマスクの相手によく声が通る作用効果を示す第４の図である。
【図１５】本発明のマスクのＰＭ３、花粉、放射性物質から護る作用効果を示す第５の図である。
【図１６】本発明の第３実施例と第４実施例を示す図である。
【図１７】本発明の第５実施例を示す図である。
【図１８】本発明の第６実施例と第７実施例と第８実施例を示す図である。
【発明を実施するための形態】
【０００８】
以下、本発明のマスクの実施形態について、図面を参照しながら説明する。
【０００９】
図７は、本発明のマスク第１実施例の平面図であり、図８は、図７の横断面図である。
図７及び図８に示すように、本発明のマスクは、本体である四角形状のシート１と、当該シート１のほぼ中央部の左右に設けた接着部２と、によって構成される。
シート１は、紙、合成樹脂（フィルム、プラスチックなど）、金属など、バイ菌、ＰＭ２．５、花粉等の通過が可能な孔を有しない部材であって、折り曲げた場合にこれを元の平らな状態に戻そうとする復元力、すなわち、曲げた状態のものを平らな状態に拡げる（以下、拡平力という）を有する、透明又は不透明のシート状の部材を用いる。
【００１０】
接着部２は、シート１と鼻とを接着させるための接着手段であり、図９に示すように複数層により構成することができる。
例えば、図９（ａ）に示すように、シート１に遠い層（上層）から順に、リリースライナ２１、感圧性接着剤２２、発泡ウレタンフォーム２３、感圧性接着剤２２の４層からなる接着部２を採用することができる。
最上層にリリースライナ２１を設けることで、不使用時には接着性を保ちつつ意図しない接着を回避し、使用時には剥ぐだけで接着手段としての機能を発揮させることができる（図９（ａ）〜（ｃ）参照）。
感圧性接着剤２２は、人肌を痛めない皮膚用のものが好ましい。
発泡ウレタンフォーム２３の両面接着剤を設けることで、鼻の凹凸面に対応しクッション性を向上させることができる。
図９（ｂ）に示すように、発泡ウレタンフォーム２３の代わりにフィルム又はティッシュー２４の両面接着剤を設けることもできる。
これにより、発泡ウレタンフォーム２３を設ける場合に比べ、安価にすることができる。
また、図９（ｃ）に示すように、リリースライナ２１とアドヒーシブトランスファー感圧性接着剤２２の２層にすることもできる。
これにより、図９（ａ）、（ｂ）に比べ薄型柔軟にすることができる。
【００１１】
図１０は、本発明のマスク第２実施例を示す図である。
この実施例は図７の第１実施例と共通するが、第２実施例のマスクは、やや縦長であり、左右の頬１３及び顎下に対応する部分１４をカットしている点に特徴を有する。この形状のマスクは後述の第５実施例にも使用できる。
【００１２】
このような構成からなる本発明のマスクの使用方法（装着方法）について、図７を参照しながら説明する。
本発明のマスクは、まず、接着部２のリリースライナ２１を剥ぎ、シート１を、接着部２側を利用者側に向ける。
そして、そのシート１を、中央部折り線１１を鼻背に当接させ、鼻の形に合うように折り曲げる（山折り）、側部折り曲げ線１２を鼻谷の形に合うように折り曲げる（谷折り）。
このとき、接着部２の部分は、手でしっかりと押さえることが好ましい。
これにより、図１１に示すように、利用者の鼻の両側にシート１を密着させた状態、すなわち、鼻谷部分において隙間がない状態９１でマスク本体のシート１を装着させることができる。
また、シート１の拡平力１５により、鼻腔８の両側を外側へ引っ張るように力１６が働くため、鼻腔８を拡げることができる。
【００１３】
このような本発明のマスクによれば、図１２に示すように、インフルエンザウイルス等の病原菌４を持つ相手（インフルエンザ患者）と接近して話をしても、相手から発せられる病原菌をシート１が通さず、また、下へ落下４１させるので遮断することができる（他人防菌効果）。
また、本発明のマスクによれば、装着時に鼻谷に隙間が生じない９１ため、鼻谷９１を通じて病原菌４が利用者の口や鼻に入ることを防止することができる。
これにより、インフルエンザ等の病気の感染や流行を抑えることができる。
【００１４】
図１３に示すように、逆に利用者（装着者）が口から発するバイ菌やインフルエンザ菌などの病原菌を遮断４３し、他人にバイ菌が移らないようにすることもできる（自己防菌効果）。
【００１５】
図１４に示すように、本発明のマスクは、下部が開放された状態で装着される。
このため、利用者は、この開放部分を介して、自身の声（言葉）６を他人に明瞭に伝えることができる（明瞭声効果）。
【００１６】
図１５に示すように、大気中に浮遊するＰＭ２．５（５）や放射性物質５１や花粉５２も遮断することができる。例えば、シート１を構成する紙、合成樹脂、金属などの表面は摩擦係数が小さいため、一旦、シート１の表面に付着したとしても、すべり落ちる５３ようにして排除することができる。また、鼻谷が密閉されているので上部５４から５、５１、５２が侵入することがない。
一方、下部の開放された部分を介してきれいな空気２４を取り込むこともできる（図１５参照）。
【００１７】
図１６は、本発明の第３実施例と第４実施例を示す図である。
図１６に示すように、マスクの内側にあたる部分に所定の顆粒１７を付着させた実施例である。
前記顆粒１７と呼気の二酸化炭素（ＣＯ２）が結合してＣ&#8467;Ｏ２に化学変化させ、呼気のＣＯ２＋顆粒＝Ｃ&#8467;Ｏ２となり、これにより、二酸化炭素の増加を要因とする地球温暖化において、人の呼気からＣＯ２を除去することができる第３実施例である。
また、顆粒１７として、ハイドロ銀チタンを付着させる場合が本発明の第４実施例で、ハイドロ銀チタンによれば、花粉をタンパク質に変えることができるので、マスクの下方から入ってきた花粉を無くしたり減らしたりすることができる。
これにより、花粉症を予防することができ、利用者が花粉症患者である場合には、その症状を軽減することができるのが第４実施例である。
【００１８】
図１７は、本発明の第５実施例を示す図である。
この実施例は図１０に示すように、シート１の形状をやや縦長形状にして、その上に文字や絵１８を印刷したものである。
縦長にすることで、表面積を広くすることができるため、表面に多くの情報を表示することができる。
図１７に示す如く例えば、「ドクター中松を応援して下さい」といったメッセージ１８を表示することで、政治等の応援の呼びかけを効果的に行うことができる。
このほか、商品の宣伝文、広告を効果的に表示することができる。
また、頬部分をカットした形状にすることで、装着時に側部を折り曲げる手間を省くことができ、顎下部分をカットした形状にすることで、縦長のマスクでありながら、手など外部との接触を極力抑えることができる。
【００１９】
図１８は、本発明の第６実施例と第７実施例と第８実施例を示す図である。
図１８に示すように、マスクの表面（外側面）に光を反射するガラス反射玉ビーズ１９を設けたのが第６実施例であり、、蛍光塗料をシート１に塗ったり、ＬＥＤと小型バッテリー１９を設けるのが第７実施例であり、夜間の歩行中に、車のヘッドライトの光が前記ガラス反射玉１９に反射して、運転手等に発見し易くして交通事故を防ぐことができるのが本発明第６実施例で、本発明第７実施例は蛍光やＬＥＤ１９で光る本発明を歩行する学童や老人に装着させることで、夜間でも自発光し、車の衝突等から保護することができる。
これら第６実施例や第７実施例により、徘徊老人の発見を容易くする大きな効果もある。
更にまた、本発明第８実施例として、図１８に示すように、本発明のマスクに補助耳かけ（ひも）を設けることもできる。
このように、接着部２に加え、ひもを用いて装着することにより、万一、接着部２において接着が剥がれた場合でもマスクがとれないように、装着を補助することができるので、図１７のように表示面を大きくしたり、図１８のようにガラス反射玉をつけて重くなっても安定して装着できる。
【００２０】
以上説明したように、本発明のマスクは、シート１のほぼ中央部の左右に接着部２を設け、接着部２を鼻の左右に接着する、といった簡易な構成により、様々な作用効果を奏する。
以下、本発明のマスクの作用効果や機能をあらためて列挙する。
１．本体がフィルム等完全密閉材料なのでバイ菌、ＰＭ２．５、放射性物質
を完全に遮断できる。
２．普通のマスクよりはるかに明瞭で本人そのものの声で相手に伝達できる。
３．鼻腔を拡げ鼻の通りを良くするので、緊急時など、速い動作や速く歩け、
又、睡眠も改善することができる。
４．鼻谷（鼻とほほの間の谷間）とマスクが密着しているので、ここからバ
イ菌、花粉、ＰＭ２．５、空中の放射性物質が入らない。
５．鼻谷にマスクが密着しており、ここから呼気からの湿気が上がってこな
いので、メガネが曇らない。
６．収納が容易で、フラットで格納場所をとり易い。
７．取付けが簡単で迅速なので緊急時に間に合う。
８．耳ひもを無くすことができるので、耳が痛く無く、メガネをかけるとき、
メガネのつるとの取り合いがない。
９．バイ菌を持つ相手と近くで話しても、バイ菌がうつらないので伝染病な
どの病気にかからない。
１０．本人がバイ菌を持っている場合、相手にバイ菌をうつさないので伝染
病などの病気を流行らせない。
１１．呼気からのＣＯ２を無くして地球環境を画期的に改善できる。
１２．商品宣伝や選挙の投票呼びかけ、集票に絶大な効果がある。
１３．製造が簡単で量産に適しているので大量に生産できる。
１４．布やゴムひもを使用しないこともできるので原材料費を安価で、かつ、
入手し易い。
１５．従って、製品が安価となり世界中の多くの人に恩恵を与える発明であ
る。
１６．通学路を歩行する児童や散歩する老人を車からの衝突を防止でき
る。
１７．徘徊老人の発見を容易にする。
【産業上の利用可能性】
【００２１】
本発明は、鼻腔拡張・鼻谷密閉・防菌・防曇・明言・広報・地球温暖化防止、通学児童や散歩する老人を車からの衝突防止、徘徊老人の保護などの多機能を備えたマスクとして用いることができるので産業上の利用可能性極めて大である。
【符号の説明】
【００２２】
１  本発明マスクシート
１０  マスクのひも
１１  本発明マスクシート中央折り線（山折り）
１２  本発明マスクシートほほ部折り線（谷折り）
１３  本発明マスクシートほほ部分カット部
１４  本発明マスクシート顎部分カット部
１５  本発明マスクシートの拡平力
１６  本発明マスクシートの拡平力により鼻の外側を引っ張り鼻腔を拡げる
１７  本発明マスクシート裏側につけた顆粒
１８  本発明マスクシートに印刷した情報
１９  本発明マスクシートの表面に設けたガラス反射ビーズまたは発光材  
またはＬＥＤ
２  本発明マスク接着部
３  公知マスク
４  バイ菌
４１  正面の相手からのバイ菌
４２  上方の相手からのバイ菌
４３  自分のバイ菌
５  ＰＭ２．５
５１  放射性物質
５２  花粉
５３  すべり落ち正面から入らない
５４  上から入らない
６  声
７  鼻
８  鼻孔
９  公知マスクと顔面との間のすき間
９１  本発明マスクと顔面とのすき間
１０  マスクのひも
２０  メガネ
２１  メガネのつる
２２  耳
２３  顔の表面
２４  きれいな空気
２５  ヘッドライトを反射して夜間でも存在を表示
２６  蛍光を発し夜間でも警告
【図１】
2019173206.tif 000003
【図２】
2019173206.tif 000004
【図３】
2019173206.tif 000005
【図４】
2019173206.tif 000006
【図５】
2019173206.tif 000007
【図６】
2019173206.tif 000008
【図７】
2019173206.tif 000009
【図８】
2019173206.tif 000010
【図９】
2019173206.tif 000011
【図１０】
2019173206.tif 000012
【図１１】
2019173206.tif 000013
【図１２】
2019173206.tif 000014
【図１３】
2019173206.tif 000015
【図１４】
2019173206.tif 000016
【図１５】
2019173206.tif 000017
【図１６】
2019173206.tif 000018
【図１７】
2019173206.tif 000019
【図１８】
2019173206.tif 000020
【手続補正書】
【提出日】平成31年2月2日(2019.2.2)
【手続補正１】
【補正対象書類名】特許請求の範囲
【補正対象項目名】全文
【補正方法】変更
【補正の内容】
【特許請求の範囲】
【請求項１】
マスク本体が折り曲げられた場合に元の平らな状態に戻そうとする復元力を有するシート状部材からなるマスクであって、前記シート状部材の左右に二ケ所の接着部を設け、前記接着部はシート状部材と装着者とを直接接合し、前記シート状部材の反発弾性で鼻腔を拡張するとともに、鼻谷を密閉し、防曇し、対話相手からのバイ菌が鼻孔や口孔に飛入することを防止し、マスクの下方を開放する形状を有し、前記シート状部材に広報、反射ガラスビーズ、発光材を設けると共に、ＣＯ２や花粉対策顆粒を附着せしめ得ることを特徴とする鼻腔拡張、鼻谷密閉、防菌防曇、明言広報および地球温暖化防止の機能を有し、交通安全性を向上させるマスク
【請求項２】
請求項１に記載のマスクに於いて、前記接着部を二層の接着剤とその間に設けられるクッション層からなり、マスクの内側に、前記花粉対策顆粒として以下の式１の化合物である粒子を付着させ、前記開放されている下方からマスクの内側に入ってくる花粉を減らすことが可能な鼻腔拡張、鼻谷密閉、防菌防曇、明言広報および地球温暖化防止の機能を有し、交通安全性を向上させるマスク
式１ Hyd[AgTiO2]

【手続補正２】
【補正対象書類名】明細書
【補正対象項目名】００１７
【補正方法】変更
【補正の内容】
【００１７】
図１６は、本発明の第３実施例と第４実施例を示す図である。
図１６に示すように、マスクの内側にあたる部分に所定の顆粒を付着させた実施例である。
前記顆粒１７と呼気の二酸化炭素（ＣＯ２）が結合してＣｌＯ２に化学変化させ、呼気のＣＯ２＋顆粒＝ＣｌＯ２となり、これにより二酸化炭素の増加を要因とする地球温暖化において、人の呼気からＣＯ２を除去することができる第３実施例である。
また、顆粒１７として、ハイドロ銀チタン（登録商標）を付着させる場合が本発明の第４実施例で、ハイドロ銀チタンによれば、花粉をタンパク質に変えることができるので、マスクの下方から入ってきた花粉を無くしたり減らしたりすることができる。なおハイドロ銀チタンは、Hyd[AgTiO2]で表されるものである。
これにより、花粉症を予防することができ、利用者が花粉症患者である場合には、その症状を軽減することができるのが第４実施例である。